【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
周面に複数種類の表示内容が描かれ、周方向に回転されることにより、表示位置に上記複数種類の表示内容を変動表示させることができる回転体と、
上記回転体の周面に設けられた複数の発光体と、
上記複数の発光体のそれぞれを、上記回転体の回転状態に関連付けて点灯／消灯させるための点灯制御手段とを含み、
上記点灯制御手段は、
上記複数の発光体を点灯／消灯させるための制御信号を送信する制御基板と、
上記回転体に備えられ、上記制御基板から無線通信を介して受信した制御信号に基づいて、上記複数の発光体を点灯／消灯させる制御を行う制御ＩＣとを含むことを特徴とする遊技機用表示装置。
【請求項２】
周面に複数種類の表示内容が描かれ、周方向に回転されることにより、表示位置に上記複数種類の表示内容を変動表示させることができる回転体と、
上記回転体の周面に設けられ、当該回転体の周方向に対して交差する方向に延びる１次元的表示列装置と、
上記１次元的表示列装置を、上記回転体の回転状態に関連付けて点灯／消灯させるための点灯制御手段とを含み、
上記点灯制御手段は、
上記１次元的表示列装置を点灯／消灯させるための制御信号を送信する制御基板と、
上記回転体に備えられ、上記制御基板から無線通信を介して受信した制御信号に基づいて、上記１次元的表示列装置を点灯／消灯させる制御を行う制御ＩＣとを含むことを特徴とする遊技機用表示装置。
【請求項３】
上記回転体に備えられ、リング状に形成された電極と、
電源に接続され、上記電極に当接する当接部材とをさらに含み、
上記回転体が回転していても、常に上記当接部材が上記電極に接触した状態となることにより、上記電源から途切れることなく上記制御ＩＣに電力を供給することができることを特徴とする請求項１または２記載の遊技機用表示装置。
【請求項４】
上記回転体に備えられた太陽電池と、
上記太陽電池に光を照射するランプとをさらに含み、
上記ランプを点灯させることにより上記太陽電池内で発生した電力を、上記制御ＩＣに供給することができることを特徴とする請求項１または２記載の遊技機用表示装置。
【請求項５】
周面に複数種類の表示内容が描かれ、周方向に回転されることにより、表示位置に上記複数種類の表示内容を変動表示させることができる複数の回転体と、
上記複数の回転体のうち少なくとも１つの回転体の周面に設けられた複数の発光体と、
上記複数の発光体のそれぞれを、上記少なくとも１つの回転体の回転状態に関連付けて点灯／消灯させるための点灯制御手段とを含み、
上記点灯制御手段は、
上記複数の発光体を点灯／消灯させるための制御信号を送信する制御基板と、
上記回転体に備えられ、上記制御基板から無線通信を介して受信した制御信号に基づいて、上記複数の発光体を点灯／消灯させる制御を行う制御ＩＣとを含むことを特徴とする遊技機。
【請求項６】
周面に複数種類の表示内容が描かれ、周方向に回転されることにより、表示位置に上記複数種類の表示内容を変動表示させることができる複数の回転体と、
上記複数の回転体のうち少なくとも１つの回転体の周面に設けられ、当該回転体の周方向に対して交差する方向に延びる１次元的表示列装置と、
上記１次元的表示列装置を、上記少なくとも１つの回転体の回転状態に関連付けて点灯／消灯させるための点灯制御手段とを含み、
上記点灯制御手段は、
上記１次元的表示列装置を点灯／消灯させるための制御信号を送信する制御基板と、
上記回転体に備えられ、上記制御基板から無線通信を介して受信した制御信号に基づいて、上記１次元的表示列装置を点灯／消灯させる制御を行う制御ＩＣとを含むことを特徴とする遊技機。
【請求項７】
上記回転体に備えられ、リング状に形成された電極と、
電源に接続され、上記電極に当接する当接部材とをさらに含み、
上記回転体が回転していても、常に上記当接部材が上記電極に接触した状態となることにより、上記電源から途切れることなく上記制御ＩＣに電力を供給することができることを特徴とする請求項５または６記載の遊技機。
【請求項８】
上記回転体に備えられた太陽電池と、
上記太陽電池に光を照射するランプとをさらに含み、
上記ランプを点灯させることにより上記太陽電池内で発生した電力を、上記制御ＩＣに供給することができることを特徴とする請求項５または６記載の遊技機。
【手続補正２】
【補正対象書類名】明細書
【補正対象項目名】０００９
【補正方法】変更
【補正の内容】
【０００９】
【課題を解決するための手段および発明の効果】
上記目的を達成するための請求項１記載の発明は、周面に複数種類の表示内容（図柄）が描かれ、周方向に回転されることにより、表示位置（８）に上記複数種類の表示内容を変動表示させることができる回転体（２Ｌ〜２Ｒ）と、上記回転体の周面（２０１）に設けられた複数の発光体（５１、５１Ｒ、５１Ｇ、５１Ｂ）と、上記複数の発光体のそれぞれを、上記回転体の回転状態に関連付けて点灯／消灯させるための点灯制御手段（２０）とを含み、上記点灯制御手段は、上記複数の発光体を点灯／消灯させるための制御信号を送信する制御基板（４１）と、上記回転体に備えられ、上記制御基板から無線通信を介して受信した制御信号に基づいて、上記複数の発光体を点灯／消灯させる制御を行う制御ＩＣ（７Ｌ、７Ｃ、７Ｒ）とを含むことを特徴とする遊技機用表示装置（１）である。
【手続補正３】
【補正対象書類名】明細書
【補正対象項目名】００１１
【補正方法】変更
【補正の内容】
【００１１】
また、複数の発光体が回転体周面に配置されているので、回転体を回転させつつ発光体を点灯／消灯させることにより、興趣のある演出を行うことができる。
また、回転体の周面に描かれた表示内容の変動中に、回転体の回転状態に関連付けて複数の発光体を点灯／消灯させることにより、点灯の残像が２次元的表示（例えば「７」という数字）として表示位置において視認されるようにすることができる。これにより、より興趣ある演出を行うことができる。
上記複数の発光体は、上記回転体の周面に対して交差する方向に延びるように配列されていてもよい。
この場合、上記複数の発光体（５１、５１Ｒ、５１Ｇ、５１Ｂ）は、上記回転体（２Ｌ〜２Ｒ）の周方向に対して交差する方向に見ると、当該回転体の一端から他端へ連続するように（一直線、斜め、千鳥状、段状など）配列されていることが好ましい。
【手続補正４】
【補正対象書類名】明細書
【補正対象項目名】００１２
【補正方法】変更
【補正の内容】
【００１２】
また、上記複数の発光体（５１、５１Ｒ、５１Ｇ、５１Ｂ）は、表示内容と表示内容との境界位置に配置されていることが好ましい。
【手続補正５】
【補正対象書類名】明細書
【補正対象項目名】００１３
【補正方法】変更
【補正の内容】
【００１３】
請求項２記載の発明は、周面に複数種類の表示内容（図柄）が描かれ、周方向に回転されることにより、表示位置（８）に上記複数種類の表示内容を変動表示させることができる回転体（２Ｌ〜２Ｒ）と、上記回転体の周面（２０１）に設けられ、当該回転体の周方向に対して交差する方向に延びる１次元的表示列装置（５Ｌ〜５Ｒ）と、上記１次元的表示列装置を、上記回転体の回転状態に関連付けて点灯／消灯させるための点灯制御手段（２０）とを含み、上記点灯制御手段は、上記１次元的表示列装置を点灯／消灯させるための制御信号を送信する制御基板（４１）と、上記回転体に備えられ、上記制御基板から無線通信を介して受信した制御信号に基づいて、上記１次元的表示列装置を点灯／消灯させる制御を行う制御ＩＣ（７Ｌ、７Ｃ、７Ｒ）とを含むことを特徴とする遊技機用表示装置（１）である。
【手続補正６】
【補正対象書類名】明細書
【補正対象項目名】００１５
【補正方法】変更
【補正の内容】
【００１５】
また、回転体の周面に描かれた表示内容の変動中に、回転体の回転状態に関連付けて１次元的表示列装置を点灯／消灯させることにより、点灯の残像が２次元的表示（例えば「７」という数字）として表示位置において視認されるようにすることができる。これにより、より興趣ある演出を行うことができる。
上記１次元的表示列装置（５Ｌ〜５Ｒ）は、表示内容と表示内容との境界位置に配置されていることが好ましい。
【手続補正７】
【補正対象書類名】明細書
【補正対象項目名】００１６
【補正方法】変更
【補正の内容】
【００１６】
請求項３記載の発明は、上記回転体（２Ｌ〜２Ｒ）に備えられ、リング状に形成された電極（７１）と、電源（Ｅ）に接続され、上記電極に当接する当接部材（７２）とをさらに含み、上記回転体が回転していても、常に上記当接部材が上記電極に接触した状態となることにより、上記電源から途切れることなく上記制御ＩＣ（７Ｌ、７Ｃ、７Ｒ）に電力を供給することができることを特徴とする請求項１または２記載の遊技機用表示装置である。
請求項４記載の発明は、上記回転体（２Ｌ〜２Ｒ）に備えられた太陽電池（７３）と、上記太陽電池に光を照射するランプ（７４Ａ）とをさらに含み、上記ランプを点灯させることにより上記太陽電池内で発生した電力を、上記制御ＩＣ（７Ｌ、７Ｃ、７Ｒ）に供給することができることを特徴とする請求項１または２記載の遊技機用表示装置である。
請求項５記載の発明は、周面に複数種類の表示内容（図柄）が描かれ、周方向に回転されることにより、表示位置（８）に上記複数種類の表示内容を変動表示させることができる複数の回転体（２Ｌ〜２Ｒ）と、上記複数の回転体のうち少なくとも１つの回転体の周面（２０１）に設けられた複数の発光体（５１、５１Ｒ、５１Ｇ、５１Ｂ）と、上記複数の発光体のそれぞれを、上記少なくとも１つの回転体の回転状態に関連付けて点灯／消灯させるための点灯制御手段（２０）とを含み、上記点灯制御手段は、上記複数の発光体を点灯／消灯させるための制御信号を送信する制御基板（４１）と、上記回転体に備えられ、上記制御基板から無線通信を介して受信した制御信号に基づいて、上記複数の発光体を点灯／消灯させる制御を行う制御ＩＣ（７Ｌ、７Ｃ、７Ｒ）とを含むことを特徴とする遊技機である。
【手続補正８】
【補正対象書類名】明細書
【補正対象項目名】００１７
【補正方法】変更
【補正の内容】
【００１７】
この構成によれば、回転体を回転させつつ複数の発光体を点灯／消灯させることにより、その点灯態様に基づく所定の情報（例えば、ボーナスゲームに突入する旨や、ボーナス抽選に当選し、ボーナスフラグに「１」が格納されている旨（フラグ告知）など）を遊技者に報知することができる。
請求項６記載の発明は、周面に複数種類の表示内容（図柄）が描かれ、周方向に回転されることにより、表示位置（８）に上記複数種類の表示内容を変動表示させることができる複数の回転体（２Ｌ〜２Ｒ）と、上記複数の回転体のうち少なくとも１つの回転体の周面（２０１）に設けられ、当該回転体の周方向に対して交差する方向に延びる１次元的表示列装置（５Ｌ〜５Ｒ）と、上記１次元的表示列装置を、上記少なくとも１つの回転体の回転状態に関連付けて点灯／消灯させるための点灯制御手段（２０）とを含み、上記点灯制御手段は、上記１次元的表示列装置を点灯／消灯させるための制御信号を送信する制御基板（４１）と、上記回転体に備えられ、上記制御基板から無線通信を介して受信した制御信号に基づいて、上記１次元的表示列装置を点灯／消灯させる制御を行う制御ＩＣ（７Ｌ、７Ｃ、７Ｒ）とを含むことを特徴とする遊技機である。
【手続補正９】
【補正対象書類名】明細書
【補正対象項目名】００１８
【補正方法】変更
【補正の内容】
【００１８】
この構成によれば、回転体を回転させつつ１次元的表示列装置を点灯／消灯させることにより、その点灯態様に基づく所定の情報（例えば、ボーナスゲームに突入する旨や、ボーナス抽選に当選し、ボーナスフラグに「１」が格納されている旨（フラグ告知）など）を遊技者に報知することができる。
請求項７記載の発明は、上記回転体（２Ｌ〜２Ｒ）に備えられ、リング状に形成された電極（７１）と、電源（Ｅ）に接続され、上記電極に当接する当接部材（７２）とをさらに含み、上記回転体が回転していても、常に上記当接部材が上記電極に接触した状態となることにより、上記電源から途切れることなく上記制御ＩＣ（７Ｌ、７Ｃ、７Ｒ）に電力を供給することができることを特徴とする請求項５または６記載の遊技機である。
請求項８記載の発明は、上記回転体（２Ｌ〜２Ｒ）に備えられた太陽電池（７３）と、上記太陽電池に光を照射するランプ（７４Ａ）とをさらに含み、上記ランプを点灯させることにより上記太陽電池内で発生した電力を、上記制御ＩＣ（７Ｌ、７Ｃ、７Ｒ）に供給することができることを特徴とする請求項５または６記載の遊技機である。